(57)【要約】【課題】複数の剥離縁を有する折返し部材を備えつつも、所定の折返し位置で剥離シートを折り返し、所定の供給位置に接着シートを供給すことができるシート供給装置及びシート供給方法を提供する。【解決手段】剥離シートＲＬの一方の面に接着シートＡＳが仮着された原反ＲＳを繰り出す繰出手段２０と、繰出手段２０で繰り出される原反ＲＳから接着シートＡＳを剥離する剥離手段３０とを備えている。剥離手段３０は、第１、第２剥離縁３１Ａ，３１Ｂを有する折返し部材３１と、第１、第２剥離縁３１Ａ，３１Ｂのうちの１つを所定の折返し位置ＴＰに配置可能な剥離縁変更手段としての回動モータ３２とを備えている。【選択図】図１
2015229581.tif 000002
【特許請求の範囲】
【請求項１】
剥離シートの一方の面に接着シートが仮着された原反を繰り出す繰出手段と、
前記繰出手段で繰り出される前記原反から前記接着シートを剥離する剥離手段とを備え、
前記剥離手段は、複数の剥離縁を有する折返し部材と、前記折返し部材の複数の剥離縁のうちの１つを所定の折返し位置に配置可能な剥離縁変更手段とを備えていることを特徴とするシート供給装置。
【請求項２】
前記剥離縁変更手段は、前記折返し部材を所定の平面内で回転可能に設けられていることを特徴とする請求項１に記載のシート供給装置。
【請求項３】
前記折返し位置から前記原反を離間させ、前記折返し部材の変位に必要なスペースを形成可能な変位スペース形成手段を備えていることを特徴とする請求項１又は２に記載のシート供給装置。
【請求項４】
剥離シートの一方の面に接着シートが仮着された原反を繰り出す繰出工程と、
前記繰出工程で繰り出される前記原反から前記接着シートを剥離する剥離工程とを備え、
前記剥離工程は、複数の剥離縁を有する折返し部材の当該複数の剥離縁のうちの１つを所定の折返し位置に配置可能とすることを特徴とするシート供給方法。
【発明の詳細な説明】
【技術分野】
【０００１】
本発明は、シート供給装置及びシート供給方法に関する。
【背景技術】
【０００２】
特許文献１には、旋回アームと、当該旋回アームの先端に軸架されたガイドローラとを備え、旋回アームを旋回させることで、ガイドローラがピールプレートの先端側に位置し、原反がピールプレートで急激に折り返されることを回避することができるシート供給装置が開示されている。
【先行技術文献】
【特許文献】
【０００３】
【特許文献１】特開２０１０−４０８７４号公報
【発明の概要】
【発明が解決しようとする課題】
【０００４】
しかしながら、特許文献１のような装置では、複数の剥離縁を有する折返し部材を備えているものの、それらは、所定の折返し位置で剥離シートを折り返すことで、所定の供給位置に接着シートを供給することはできず、例えば、複数の剥離縁それぞれから所定の供給位置に接着シートを供給し、当該接着シートを被着体に貼付するといったシート貼付装置には不向きなものとなってしまうという不都合がある。
【０００５】
そこで、本発明の目的は、複数の剥離縁を有する折返し部材を備えつつも、所定の折返し位置で剥離シートを折り返し、所定の供給位置に接着シートを供給すことができるシート供給装置及びシート供給方法を提供することである。
【課題を解決するための手段】
【０００６】
上記課題を解決するために、本発明の一形態であるシート供給装置は、剥離シートの一方の面に接着シートが仮着された原反を繰り出す繰出手段と、前記繰出手段で繰り出される前記原反から前記接着シートを剥離する剥離手段とを備え、前記剥離手段は、複数の剥離縁を有する折返し部材と、前記折返し部材の複数の剥離縁のうちの１つを所定の折返し位置に配置可能な剥離縁変更手段とを備えている。
【０００７】
前記剥離縁変更手段は、前記折返し部材を所定の平面内で回転可能に設けられていてもよい。
【０００８】
また、前記折返し位置から前記原反を離間させ、前記折返し部材の変位に必要なスペースを形成可能な変位スペース形成手段を備えていてもよい。
【０００９】
本発明の別の一形態であるシート供給方法は、剥離シートの一方の面に接着シートが仮着された原反を繰り出す繰出工程と、前記繰出工程で繰り出される前記原反から前記接着シートを剥離する剥離工程とを備え、前記剥離工程は、複数の剥離縁を有する折返し部材の当該複数の剥離縁のうちの１つを所定の折返し位置に配置可能とする。
【発明の効果】
【００１０】
本発明によれば、複数の剥離縁を有する折返し部材の各剥離縁を所定の折返し位置に配置可能なため、複数の剥離縁を有する折返し部材を備えつつも、所定の折返し位置で剥離シートを折り返し、所定の供給位置に接着シートを供給することができる。
【００１１】
剥離縁変更手段が折返し部材を所定の平面内で回転可能に設けられている場合、折返し部材が剥離縁を変更する際の使用スペースを小さくすることができる。
【００１２】
変位スペース形成手段を備える場合、折返し部材が剥離縁を変更する動作を原反によって阻害されることを防止したり、折返し部材が剥離縁を変更する動作によって原反が傷付けられたりすることを防止することができる。
【図面の簡単な説明】
【００１３】
【図１】実施形態にかかるシート貼付装置の側面図。
【図２】図１のシート貼付装置の動作説明図。
【図３】（ａ）（ｂ）（ｃ）は、変形例を示す平面図、正面図及び側面図。
【図４】他の変形例を示す部分斜視図。
【図５】更に他の変形例を示す部分斜視図。
【発明を実施するための形態】
【００１４】
以下、本発明の一実施形態について説明する。
なお、本明細書及び図面におけるＸ軸、Ｙ軸、Ｚ軸は、それぞれが直交する関係にあり、Ｘ軸及びＹ軸は所定平面内の軸とし、Ｚ軸は当該所定平面に直交する軸とする。さらに、本実施形態では、Ｙ軸と平行な図１の手前方向から観た場合を基準とし、方向を示した場合、「上」がＺ軸の矢印方向で「下」がその逆方向、「左」がＸ軸の矢印方向で「右」がその逆方向、「前」が紙面に直交する手前方向であってＹ軸の矢印方向で「後」がその逆方向とする。
【００１５】
図１において、本実施形態にかかるシート供給装置１０は、剥離シートＲＬの一方の面に接着シートＡＳが仮着された原反ＲＳを繰り出す繰出手段２０と、繰出手段２０で繰り出される原反ＲＳから接着シートＡＳを剥離する剥離手段３０と、折返し位置ＴＰから原反ＲＳを離間させ、折返し部材３１の変位に必要なスペースを形成可能な変位スペース形成手段４０と、シート供給装置１０の全体的な動作を制御可能に設けられ、パーソナルコンピュータやシーケンサなどからなる図示しない制御手段とを備え、剥離手段３０で剥離された接着シートＡＳを被着体ＷＫに押圧して貼付する押圧手段としての押圧ローラ５０と、ベルトコンベアや多関節ロボットなどにより構成され、被着体ＷＫを搬送する搬送手段ＣＶの近傍に配置されて、シート貼付装置が形成されている。
【００１６】
繰出手段２０は、基材シートＢＳの一方の面に接着剤ＡＤ層が積層された接着シートＡＳが剥離シートＲＬの一方の面に仮着された原反ＲＳを支持する支持ローラ２１と、原反ＲＳを案内する複数のガイドローラ２２と、駆動機器としての回動モータ２３Ａによって駆動する駆動ローラ２３との間に剥離シートＲＬを挟み込むピンチローラ２４と、図示しない駆動機器で駆動し、剥離シートＲＬを回収する回収ローラ２５とを備え、フレームＦＲに支持されている。
【００１７】
剥離手段３０は、複数の剥離縁としての第１剥離縁３１Ａ及び第２剥離縁３１Ｂを有する折返し部材３１と、折返し部材３１をその出力軸３２Ａで支持し、複数の剥離縁３１Ａ、３１Ｂのうちの１つを所定の折返し位置ＴＰに配置可能な駆動機器であって剥離縁変更手段としての回動モータ３２とを備えている。第１剥離縁３１Ａは、板状の折返し部材３１を鋭角に尖らせることで形成され、第２剥離縁３１Ｂは、板状の折返し部材３１における第１剥離縁３１Ａの反対側の面に設けられたブラケット３１Ｃに回転可能に設けられたローラ３１Ｄによって形成されている。なお、側面視において、回動モータ３２の回転中心ＣＰから第１剥離縁３１Ａまでの距離と、同回転中心ＣＰから第２剥離縁３１Ｂまでの距離とは、同じ距離ＬＡとなっている。
【００１８】
変位スペース形成手段４０は、フレームＦＲに取り付けられたスタンド４１に支持された駆動機器としての回動モータ４２と、回動モータ４２の出力軸４２Ａに一端側が支持されたアーム４３の他端側に回転可能に支持されたローラ４４と、フレームＦＲに取り付けられた駆動機器としての回動モータ４５と、回動モータ４５の出力軸４５Ａに一端側が支持されたアーム４６の他端側に回転可能に支持されたローラ４７と、折返し部材３１の上面に形成された図示しない送風孔から空気などの気体を噴出する気体噴出手段４８とを備えている。
【００１９】
次に、シート供給装置１０を用いたシート供給方法について説明する。
先ず、シート供給装置１０が図１で示す状態すなわち、第１剥離縁３１Ａが折返し位置ＴＰに配置された状態で、オペレータが原反ＲＳを図１に示すようにセットした後、図示しない操作パネルやパーソナルコンピュータなどの入力手段を介して第１剥離縁３１Ａを使用する信号と運転開始の信号とを入力すると、繰出手段２０が回動モータ２３Ａ及び図示しない駆動機器を駆動し、原反ＲＳを繰り出す。そして、図１に示すように、先頭の接着シートＡＳが第１剥離縁３１Ａによって、折返し位置ＴＰで所定長さ剥離されたことを光学センサや撮像手段などの図示しない検知手段が検知すると、繰出手段２０が回動モータ２３Ａ及び図示しない駆動機器の駆動を停止し、当該繰出手段２０がスタンバイ状態となる。
【００２０】
その後、搬送手段ＣＶが図示しない駆動機器を駆動し、被着体ＷＫを右側から左側に向かって搬送し、被着体ＷＫが押圧ローラ５０の下方所定位置に到達したことを光学センサや撮像手段などの図示しない検知手段が検知すると、繰出手段２０が回動モータ２３Ａ及び図示しない駆動機器を駆動し、原反ＲＳを繰り出す（繰出工程）。これにより、先頭の接着シートＡＳは、第１剥離縁３１Ａによって折返し位置ＴＰで剥離され（剥離工程）、当該接着シートＡＳの繰出方向後端部が折返し位置ＴＰで剥離シートＲＬから完全に剥離される。これにより接着シートＡＳは、所定の供給位置に供給され、押圧ローラ５０によって押圧されて被着体ＷＫの上面に貼付されることとなる。そして、次の接着シートＡＳが第１剥離縁３１Ａによって、折返し位置ＴＰで所定長さ剥離されたことを図示しない検知手段が検知すると、繰出手段２０が回動モータ２３Ａ及び図示しない駆動機器の駆動を停止し、当該繰出手段２０が再びスタンバイ状態となる。接着シートＡＳが貼付された被着体ＷＫは、搬送手段ＣＶによって次工程等に搬送され、以降上記同様の動作が繰り返される。
【００２１】
ここで、例えば、剥離シートＲＬが切断しやすい材質のもので構成されているような場合、当該剥離シートＲＬは、鋭角に折り返すよりも、円弧状に折り返した方が切断し難いと考えられるので、オペレータは、繰出手段２０がスタンバイ状態となっているときに、図示しない入力手段を介して第２剥離縁３１Ｂを使用する信号を入力する。これにより、変位スペース形成手段４０が回動モータ４２、４５を駆動し、図２（ａ）中二点鎖線で示す初期位置にあるローラ４４を左方に回動させるとともに、同図中二点鎖線で示す初期位置にあるローラ４７を上方に回動させ、折返し部材３１の回転スペースを形成する。このとき、繰出手段２０が回動モータ２３Ａ及び図示しない駆動機器を駆動し、接着シートＡＳを貼付する反対の方向に原反ＲＳを巻き戻すとよい。また、変位スペース形成手段４０が気体噴出手段４８を駆動し、図示しない送風孔から気体を噴出し、折返し部材３１から原反ＲＳを浮上させるようにしてもよい。次いで、剥離手段３０が回動モータ３２を駆動し、折返し部材３１を所定の平面内（折返し部材３１の上面内）で１８０度回転させ、図２に示すように、第２剥離縁３１Ｂを折返し位置ＴＰに配置させる。その後、変位スペース形成手段４０が回動モータ４２、４５を駆動し、ローラ４４、ローラ４７それぞれを初期位置に復帰させる（図１中ＡＡで示す図参照）。このとき、繰出手段２０が回動モータ２３Ａ及び図示しない駆動機器を駆動し、接着シートＡＳを貼付する方向に原反ＲＳを繰り出すとよい。
【００２２】
以上のような本実施形態によれば、複数の剥離縁３１Ａ、３１Ｂを有する折返し部材３１の各剥離縁３１Ａ、３１Ｂを所定の折返し位置ＴＰに配置可能なため、複数の剥離縁３１Ａ、３１Ｂを有する折返し部材３１を備えつつも、所定の折返し位置ＴＰで剥離シートＲＬを折り返し、所定の供給位置に接着シートＡＳを供給すことができる。
【００２３】
なお、本発明における手段及び工程は、それら手段及び工程について説明した動作、機能または工程を果たすことができる限りなんら限定されることはなく、まして、前記実施形態で示した単なる一実施形態の構成物や工程に全く限定されることはない。例えば、繰出手段は、剥離シートの一方の面に接着シートが仮着された原反を繰り出すことができるものであれば、出願当初の技術常識に照らし合わせて、その範囲内でなんら限定されることはない（他の手段についての説明は省略する）。
【００２４】
また、折返し部材３１は、剥離縁が３つ以上設けられたものでもよく、例えば、図３に示すように、上面視で四角形状の折返し部材３１の４つの辺それぞれに角度が異なる剥離縁３１Ｃ〜３１Ｆを形成してもよい。この場合、剥離縁３１Ｃの角度が一番小さく、３１Ｄ、３１Ｅ、３１Ｆになるにつれて、剥離縁の角度が徐々に大きくなる構成としてもよい。もちろん、折返し部材３１を、五角形、六角形など、さらに多角形に構成し、剥離縁の種類をさらに増やすようにしてもよし、前記の実施形態のようにローラによる剥離縁を含んでいてもよいし、図４に示すように、波型の剥離縁３１Ｇとしたり、図５に示すように、断面視円形の剥離縁３１Ｈとしたりしてもよい。波型の剥離縁３１Ｇの場合、接着シートＡＳの直進性剛性が高くなり、当該接着シートＡＳが剥離縁で剥離されずに駆動ローラ２３方向に繰り出されることを防止することができる。
さらに、２枚の薄板などの先端部を合わせることで剥離縁を構成し、当該２枚の薄板などの相対角度を変更して、当該先端部のなす鋭角の角度を変えることで、複数の剥離縁を形成するようにしてもよい。なお、複数の剥離縁のうち、どれを使用するかは、剥離シートＲＬ、接着シートＡＳ、基材ＢＳ、接着剤ＡＤ層等の組成、構成、特性等に応じてオペレータが適宜に判断し、何れの剥離縁を使用してもよい。
【００２５】
また、変位スペース形成手段４０は、本願発明において必須の要件ではなく、なくてもよい。
さらに、変位スペース形成手段４０は、折返し部材３１上の原反ＲＳを上方に吸引する構成を採用してもよい。
【００２６】
また、押圧手段５０は、接着シートＡＳを基材ＢＳ側から支持プレートで吸引して保持した後、当該支持プレートを被着体ＷＫに押圧して接着シートＡＳを貼付する構成や、気体を吹き付けて被着体ＷＫに接着シートＡＳを貼付する構成や、ブレード部材で被着体ＷＫに接着シートＡＳを貼付する構成でもよい。
さらに、本願発明において押圧手段５０や搬送手段ＣＶはなくてもよく、例えば、接着シートＡＳを所定の供給位置に供給し、当該接着シートＡＳを人手で被着体に貼付するシート供給装置としてもよい。
【００２７】
また、剥離縁で接着シートＡＳを剥離できたか否かを検知する光学センサや撮像手段などの図示しない検知手段を採用し、図示しない制御手段が接着シートＡＳを剥離できていないと判断したときは、繰出手段２０が回動モータ２３Ａ及び図示しない駆動機器を駆動し、接着シートＡＳを貼付する反対の方向に原反ＲＳを巻き戻し、上述のようにして違う剥離縁を折返し位置ＴＰに配置させてから、再度、原反ＲＳを繰り出するようにしてもよい。この場合、剥離縁の角度がさらに鋭角なものになるように剥離縁を折返し位置ＴＰに配置させるとよい。
また、被着体ＷＫを他の装置で搬送する場合、本発明において搬送手段ＣＶは不要であり、その他、本願発明の独立請求項に構成要件として記載されていない構成要素については、それぞれ必要に応じて採用すればよく、なくてもよい。
【００２８】
さらに、本発明における接着シートＡＳ、被着体ＷＫの材質、種別、形状などは、特に限定されることはない。例えば、接着シートＡＳは、感圧接着性、感熱接着性などの接着形態に限定されることはなく、感熱接着性のものが採用された場合は、当該接着シートＡＳを加熱する適宜なコイルヒータやヒートパイプなどの加熱手段を設ければよい。また、このような接着シートＡＳは、例えば、接着剤ＡＤ層だけの単層のもの、基材シートＢＳと接着剤ＡＤ層との間に中間層を有するもの、基材シートＢＳの上面にカバー層を有するなどの３層以上のもの、更には、基材シートＢＳを接着剤ＡＤ層から剥離することのできる所謂両面接着シートのようなものであってもよく、両面接着シートは、単層または複層の中間層を有するものや、中間層のない単層または複層のものであってよい。また、被着体ＷＫとしては、例えば、食品、樹脂容器、シリコン半導体ウエハや化合物半導体ウエハなどの半導体ウエハ、回路基板、光ディスクなどの情報記録基板、ガラス板、鋼板、陶器、木板または樹脂板など、任意の形態の部材や物品なども対象とすることができる。なお、接着シートＡＳは、機能的、用途的な読み方に換え、例えば、情報記載用ラベル、装飾用ラベル、保護シート、ダイシングテープ、ダイアタッチフィルム、ダイボンディングテープ、記録層形成樹脂シートなどの任意のシート、フィルム、テープなどでもよい。
【００２９】
また、前記実施形態における駆動機器は、回動モータ、直動モータ、リニアモータ、単軸ロボット、多関節ロボットなどの電動機器、エアシリンダ、油圧シリンダ、ロッドレスシリンダ及びロータリシリンダなどのアクチュエータなどを採用することができる上、それらを直接的または間接的に組み合せたものを採用することもできる（前記実施形態で例示したものと重複するものもある）。
【符号の説明】
【００３０】
１０    シート供給装置
２０    繰出手段
３０    剥離手段
３１    折返し部材
３１Ａ〜３１Ｈ    剥離縁
３２    回動モータ（剥離縁変更手段）
４０    変位スペース形成手段
ＲＬ    剥離シート
ＡＳ    接着シート
ＲＳ    原反
ＴＰ    所定の折返し位置
【図１】
2015229581.tif 000003
【図２】
2015229581.tif 000004
【図３】
2015229581.tif 000005
【図４】
2015229581.tif 000006
【図５】
2015229581.tif 000007